(57)【要約】【課題】熟練作業者によらなくても外枠を適正な水平姿勢に容易に固定設置でき、また製作コストを低減可能な縦型遊技機の枠構造を提供する。【解決手段】外枠１０にヒンジ機構を介して連結支持された前枠を有する縦型遊技機において、外枠１０の下部左右に高さ調整機構１００を設けて枠構造を構成する。高さ調整機構は、底板を貫通する開口部１５ａの上方に取り付けられたベース部材１１０と、ベース部材に上下移動可能に取り付けられた変位部材１２０と、変位部材の高さ位置を調整する調整ネジ１３０とを備え、ベース部材は底板１５と幕板１６と側方の枠板１３とを連結固定するとともに、左右の変位部材１２０の高さ位置を調整して左右それぞれの当接部１２６の張出量を調整することにより、外枠１０の左右方向の傾きを調整し得るように枠構造を構成する。【選択図】  図３
2004329454.tif 000002
【特許請求の範囲】
【請求項１】
上下および左右の枠板を外郭方形状に枠組みして構成された外枠と、前記外枠に開閉可能に連結された前枠と、前記前枠の所要設定位置に装備された遊技構成部材とを有し、全体として縦向きに立設されて遊技に供される縦型遊技機において、
前記下側の枠板は、底板とこの底板の上面前縁に沿って左右の枠板の間を繋いで張り渡された幕板とを有し、
前記幕板後方の左右には、前記底板に上下を連通して形成された開口部と、前記開口部の上方に位置して取り付けられたベース部材と、前記ベース部材に上下に移動可能に取り付けられて下端の当接部が前記開口部を通って下方に突出可能に配設された変位部材と、前記変位部材の高さ位置を調整する調整手段とを有する高さ調整機構をそれぞれ備え、
左右の前記高さ調整機構における左右の前記ベース部材は、それぞれ前記底板と前記幕板と当該高さ調整機構が設けられた側の側方の枠板との３つの枠部材を連結して固定するように形成され、
左右の前記調整手段により左右の前記変位部材の高さ位置をそれぞれ調整し前記開口部を通って下方に突出する左右の前記当接部の張出量を調整することにより、前記外枠の左右方向の傾きを調整し得るように構成したことを特徴とする縦型遊技機の枠構造。
【発明の詳細な説明】
【０００１】
【発明の属する技術分野】
本発明は、上下および左右の枠板を外郭方形状に枠組みして構成された外枠と、この外枠に開閉可能に連結された前枠と、前枠の所要設定位置に装備された遊技構成部材とを有する縦型遊技機に関し、なお詳細には、遊技機の左右方向の傾きを容易に調整し得る枠構造に関する。
【０００２】
【従来の技術】
上記のような外枠と前枠と遊技構成部材とを有した縦型遊技機として、パチンコ機やアレンジボール機、雀球機などが知られている。この種の遊技機の代表例とされるパチンコ機では、外郭方形状に構成された固定保持用の外枠と、この外枠の前側開口面域に合わせた方形状に構成された開閉搭載用の前枠とが、互いの一側縁に設けられた開閉連結支持機構を介して開閉可能に連結され、他側縁に設けられた施錠装置を利用して常には外枠の前面を覆う閉鎖姿勢に保持される。前枠には所要のゲージ設定で遊技領域が形成された遊技盤、遊技盤の前面を覆うガラス扉、遊技球を貯留する上下の球皿、球皿に貯留された遊技球を遊技盤に向けて発射する遊技球発射装置、球貯留タンクや球払出装置等を備えた裏セット盤、パチンコ機の作動を制御する各種制御基板や中継基板など、各種の遊技構成部材が各々の設定位置に装備されている。
【０００３】
ここで、上記のように遊技構成部材が装備されて前枠と遊技構成部材とが一つにまとめられた前枠全体（以下、「前枠構造体」という）はかなりの重量物体とされる。このため、パチンコ機では通常の形態として、重量のある前枠構造体と比較的軽量な外枠とが別に取り扱われるようになっており、このような前枠構造体が外枠に対して片持ち支持形態で連結されて開閉できるようになっている。ちなみに外枠は、木材や硬質樹脂材により形成された上下および左右の枠板を枠組み連結して構成され、このうち下側の枠板は、上枠板と平行に左右に延びる底板と、この底板の上面前縁に沿って左右の枠板の間を繋いで張り渡された幕板とを有して構成されている。上枠板と左右の枠板、底板と左右の枠板は、それぞれ各隅角部に設けられたＬ字状の補強金具で連結固定され補強されている。また開閉連結支持機構は、外枠と前枠の互いの一側縁（例えば正面左側の側縁）上下に固定された外枠側および前枠側ヒンジ金具の軸ピンと軸孔との嵌合いヒンジ機構が一般に多用されている。
【０００４】
ところで、パチンコ機では本来の縦向き遊技提供状態において、重量物である前枠構造体が裏セット盤内に貯留・収容される多数個の遊技球を合わせて相当な重量となっている。このような実状にあって、外枠に対して左側縁上下のヒンジ機構で片持ち連結支持されている前枠は、ヒンジ機構の軸ピンと軸孔との嵌合差（径差）やヒンジ金具の撓みに起因して反支点側（正面右側）が下傾してしまい、水平姿勢・位置を保持できなくなる。この結果、前枠および収容枠の所定設計基準位置に装備されている遊技構成部材が傾き変位することになり、それぞれの球通流路の勾配変化による球流れ不良を招くことの他、特に遊技盤では遊技領域のゲージ設定条件が失われて本来の設計意図に基づく安定したゲームが展開維持し得なくなってしまう。それだけに前枠構造体を適正な姿勢・位置に保持することが重要であり、またその支持技術手段が不可欠とされている。
【０００５】
そこで、従来のパチンコ機に実施されている一般的な枠構造では、外枠を遊技施設の遊技島に設置する際に外枠を適正な姿勢・位置に調整して固定し、このように姿勢調整された外枠に前枠構造体を連結させて閉止したときに、前枠構造体が適正な姿勢・位置に支持されるように構成されている。具体的には、外枠と前枠の互いの下部整合部位、すなわち、外枠の前側開口面域下端に位置する耐久強度の高い幕板の上端面において左右方向の傾きが水平になるように水平調整を行い、さらに外枠の前後方向の傾きが所定の後傾角度（一般に１度以内の後傾角度とされる）になるように傾斜調整を行って、外枠を適正な姿勢・位置に調整したうえで遊技島に釘打ち固定する。一方、ヒンジ機構と反対側にあたる右側の下部整合部分には、ヒンジ機構の連結支持高さ位置を基準とする係合支持部が設けられ、左側のヒンジ機構と右側の係合支持部とで前枠を支持することで、前枠を閉鎖した遊技提供時に前枠構造体が適正な左右方向の水平姿勢・位置および所定の後傾姿勢で保持されるように構成されている。
【０００６】
なお、係合支持部の構成としては、一般的には、幕板の上端右側に受け金具を設ける一方、前枠の下端右側に受け金具と係脱可能な座部を下方に突出成型し、前枠を閉鎖したときに前枠側の座部が外枠側の受け金具に乗り上げるように係合して前枠構造体を支持する構成が用いられている。また、重量物である前枠構造体の開閉操作をより滑らかに実現するため、前枠側および外枠側の係合支持部のいずれか一方に回動可能な回転円盤を設け、回転円盤と平面（受け金具または座部）との係合によって前枠構造体を支持するように構成した枠構造が提案されている。（例えば、特許文献１を参照）。
【０００７】
【特許文献１】
特開２０００−１４３４９３号公報
【０００８】
【発明が解決しようとする課題】
ここで、上述したような従来の枠構造では、前枠構造体が適正な水平姿勢・位置に保持されるためには、その前提条件として、外枠が左右水平に位置決めされて固定されていることが当然に求められる。ところが、外枠が支持固定される遊技島の島棚板は常に左右水平であるとは限らず、現実的には外枠を固定する作業者が１台ずつ外枠の水平調整を行って釘打ち固定していた。水平調整の作業は、厚さの異なる複数種類のシム（間隔調整用の薄板）を準備しておき、幕板の上端面に水準器を載置して左右方向の傾斜を確認しながら、島棚板と外枠の底板との間に挟み込む位置およびシムの厚さを調整し、幕板上端面が左右水平になった設定状態でシムとともに底板を釘打ち固定（仮止め）して行われていた。また、外枠の前後方向の傾斜調整は、上記のように外枠の底板を左右水平に調整して仮止めしたうえで、外枠上方の枠板を後方に押圧して外枠全体を前記所定の後傾角度に設定し、その後傾角度を保持して左右の枠板および上方の枠板を遊技島に釘打ち固定することにより行われていた。
【０００９】
このため、外枠の姿勢・位置の調整および固定作業は相当の熟練を要する作業であり、島大工と称される設置専門の作業者が必要とされていた。また、設置作業に際して厚さの異なるシムを設置台数に応じて相当数準備する必要や、既設の遊技機から取り外されたシムを廃棄処理する必要があり、これらに起因する付帯工数が少なくないという問題があった。さらに、一旦左右方向の水平調整を行って仮止めしても、前後方向の傾斜調整を行って釘打ち固定すると、その衝撃や押圧力等により左右方向の傾きが変化する場合もあり、このような場合には打ち込んだ釘を引き抜いて再度水平調整を行わなければならないなど、熟練作業者にとっても神経を使う繁雑な作業であるという問題があった。
【００１０】
また、従来の枠構造では、枠組みを補強するＬ字状の補強金具が各隅角部に設けられていたが、これら従来の補強金具の多くは外枠を補強する目的のためだけに製作され取着された補強専用部品であり、かつ互いに隣接する２つの枠部材を連結固定するにとどまっていた。例えば、下側の枠板についてみれば、底板と左側の枠板とを連結する補強金具、底板と右側の枠板とを連結する補強金具、底板と幕板とを連結する補強金具、などがそれぞれ製作されて取り付けられていた。このため、部品点数、加工工数、組み付け工数などが各補強金具に対応して発生しており、製作コスト上昇の一因になっているという問題があった。
【００１１】
本発明は、このような問題に鑑みて成されたものであり、シム等の補材を必要とせず熟練作業者によらなくても外枠を容易に適正な左右水平の姿勢・位置に設定可能な枠構造を提供するとともに、併せて製作コストの上昇を抑制し得る枠構造を提供することを目的とする。
【００１２】
【課題を解決するための手段】
上記目的達成のため、本発明は、上下および左右の枠板を外郭方形状に枠組みして構成された外枠と、この外枠に開閉可能に連結された前枠と、前枠の所要設定位置に装備された遊技構成部材とを有し、全体として縦向きに立設されて遊技に供される縦型遊技機に関するものである。その上で、外枠における下側の枠板は底板とこの底板の上面前縁に沿って左右の枠板の間を繋いで張り渡された幕板とを有し、この幕板後方の左右に、底板に上下を連通して形成された開口部と、開口部の上方に位置して取り付けられたベース部材と、ベース部材に上下に移動可能に取り付けられて下端の当接部が開口部を通って下方に突出可能に配設された変位部材と、変位部材の高さ位置を調整する調整手段とを有してなる高さ調整機構がそれぞれ備えられている。ここで左右の高さ調整機構における左右のベース部材は、それぞれ底板と幕板と当該高さ調整機構が設けられた側の側方の枠板との３つの枠部材を連結して固定するように形成され、そして左右の調整手段により左右の変位部材の高さ位置をそれぞれ調整して開口部を通って下方に突出する左右の当接部の張出量を調整することにより、外枠の左右方向の傾きを調整し得るように枠構造が構成される。
【００１３】
このような構成の枠構造では、幕板後方の左右に高さ調整機構が設けられており、各高さ調整機構の調整手段により左右それぞれの変位部材の高さ位置を調整して下方に突出する当接部の張出量を調整することにより、外枠の左右方向の傾きを調整できる。例えば、島棚板上の所定取付位置に外枠を配置し、幕板の上端面に水準器を載置して左右方向の傾斜を見たときに、その傾きが右下がりである場合には、右側の高さ調整機構の調整手段を用いて変位部材を下動させ、下端の当接部を開口部から張り出させて島棚板に当接させ、水準器の指標が左右水平になるまで変位部材を張り出して外枠の右側部分を持ち上げ支持させる。そして左右水平の張出位置で底板を釘打ち固定することにより外枠が左右水平の姿勢に固定保持される。外枠の傾斜方向が上記と逆の場合には、左側の高さ調整機構を利用して同様に水平出しをすることができ、また、外枠の左右両側が浮き上がるような場合（左右中央部が持ち上げられるような場合）には、左右両方の高さ調整機構を利用して安定した水平姿勢・位置に設定することができる。
【００１４】
また本構成の枠構造では、左右の高さ調整機構における左右のベース部材がそれぞれ底板と幕板と高さ調整機構が設けられた側の側方の枠板との３つの枠部材を連結して固定するように形成されており、従来の補強金具の機能を兼ね備えた構成になっている。さらに、左右それぞれのベース部材が各３つの枠部材を連結して固定する構成のため、従来、各々別個独立に設けられていた複数の補強金具の機能をひとつのベース部材で実現することができ、部品点数や組み立て工数などを低減させることができる。
【００１５】
従って、本構成の枠構造によれば、シム等の補材を必要とせず熟練作業者によらなくても外枠を容易に適正な左右水平の姿勢・位置に設定可能な枠構造を提供することができるとともに、製作コストの上昇を抑制した枠構造を提供することができる。
【００１６】
【発明の実施の形態】
以下、本発明の好適な実施形態について図面を参照しながら説明する。本発明に係る枠構造を備えた縦型遊技機の一例として、遊技島に取り付けられた状態におけるパチンコ機ＰＭを図１に示しており、まずこの図面を参照してパチンコ機ＰＭの全体概要について説明する。なお図１では、遊技島の手前側に取り付けられたパチンコ機の正面図（ａ）と、遊技島の反対側に取り付けられたパチンコ機の背面図（ｂ）とを、図中の右側と左側とに並べて示している。
【００１７】
パチンコ機ＰＭは、所定の外郭方形枠サイズに構成されて縦向きの固定保持枠をなす外枠１０の前面側に、外枠１０の前側開口面域に合わせた方形枠サイズに構成されて開閉搭載用の前枠２０が、互いの正面左側縁上下に配設された開閉連結支持機構１，２で横開き開閉および着脱が可能に取り付けられ、正面右側に設けられた施錠装置３を利用して常には外枠１０と係合された閉鎖状態に保持される。
【００１８】
前枠２０には、遊技構成部材として、前枠２０の前面域に合わせた方形状のガラス扉４、上下の球皿６，７、発射ハンドル８、遊技球発射装置９および関連部材、球貯留タンクや球払出装置等の賞球機構を有する裏セット盤３０、各種の電気部品や制御・中継基盤等が、それぞれの所要設定位置に装備され、また所定のゲージ設定（各種遊技部品と多数本の遊技釘とを合わせた配置設定）に基づく遊技領域ＰＡを構成した遊技盤５が前枠に一体成型された収容枠に水平姿勢・位置の縦向きで着脱交換可能にセット保持されている。
【００１９】
外枠１０は、木材や樹脂材等で成形加工された複数本の定形尺の枠板部材、すなわち上下の枠板１１，１４および左右の枠板１２，１３を直角に枠組み連結して構成される。下枠板１４は、上枠板１１と平行に枠組みされた底板１５と、この底板１５の上面前縁に沿って左右の枠板１２，１３間に亘って連結された支持台板としての幕板１６とからなり、前枠構造体を支持し得る頑強な耐久強度を有した構造とされる。なお外枠１０の前側開口面域とは、上枠板１１および左右の枠板１２，１３の前面と下枠板１４における幕板１６の上面とに亘る方形面域をいう。また、外枠１０の各隅角部には補強金具が固定されるが、図１では、背面左上の角部に補強金具１８を設け、右上の角部には上部ヒンジ金具１ａを曲折して補強金具を兼用した例を示し、下部左右の補強構造については後に詳述する。
【００２０】
前枠２０は、樹脂材や木材等で外枠１０の前側開口面域に合わせた若干小型枠に構成されており、遊技盤５を収容保持する収容枠を一体に形成したタイプと別体で形成したタイプとがあるが、本実施例ではＡＢＳ樹脂等の樹脂材料を用い射出成型等の成形手段で収容枠を含めて一体樹脂成型したタイプを示す。そして上下の開閉連結支持機構１，２は、外枠１０と前枠２０との所定位置に固定されて互いに整合し得るヒンジ金具１ａ，１ｂおよび２ａ，２ｂの軸ピンと軸孔との嵌挿ヒンジ形態とされている。なお、外枠側の下部ヒンジ金具２ａの構成については後に詳述する。
【００２１】
パチンコ機ＰＭでは、前枠２０の所要各部に上記のような遊技構成部材が装備されて一つにまとめられた前枠構造体が形成され、この前枠構造体が互いの左側縁上下に設けられたヒンジ金具１ａ，１ｂおよび２ａ，２ｂを利用して着脱可能に、そしてこれらを連結させた片持ち支持形態で前方への引出開放と後方への押し込み閉鎖ができるようになっている。
【００２２】
一方、パチンコ機が設置される遊技施設の遊技島４０は、左右に延びて張り渡されたテーブル状の島棚板４１、この島棚板の上方に島棚板と平行に左右に延びて張り渡された島上板４２、島上板４２の前方を覆う化粧扉４３、化粧扉に取り付けられた報知ランプ４４、パチンコ機の下部後方に配設されてパチンコ機から排出される遊技済み球を回収する球回収バケット４５、および図示省略するがパチンコ機の上部後方に配設されてパチンコ機の球貯留タンクに遊技球を供給する遊技球供給樋などから構成される。島棚板４１および島上板４２は木製の板材を加工して張り渡され、遊技者側のテーブル部分等には適宜金属製の化粧板が貼り付けられている。
【００２３】
さて、以上のように概要構成されるパチンコ機ＰＭにあって、図２にパチンコ機ＰＭの下部領域の平断面図を示すように、外枠１０の下部左右に高さ調整機構１００Ｌ，１００Ｒが装備されており、左右の高さ調整機構を利用してパチンコ機ＰＭの左右方向の水平調整、および前後方向への傾斜調整を容易に行えるようになっている。以下では、これらの高さ調整機構１００Ｒ，１００Ｌについて、図３〜図８の各図を参照しながら説明する。
【００２４】
ここで、図３は正面右側の高さ調整機構１００Ｒを斜め後方から見た分解斜視図、図４は左右の高さ調整機構１００Ｌ，１００Ｒにおける変位部材１２０の取付状態を示す断面図、図５は正面左側の高さ調整機構１００Ｌを斜め後方から見た斜視図、図６は正面右側の高さ調整機構１００Ｒの背面図（部分断面図）、図７は正面左側の高さ調整機構１００Ｌの側断面図である。なお、左右の高さ調整機構１００Ｌ，１００Ｒは、それぞれの基盤となるベース部材１１０Ｌ，１１０Ｒにおけるヒンジ金具部および受け金具部を除いて基本的な構成は共通である。このため、左右の高さ調整機構の共通部分を説明するに当たっては、正面視における左・右を示す符号Ｌ（Ｌｅｆｔ）およびＲ（Ｒｉｇｈｔ）の記載を省略し、高さ調節機構１００のように表記して説明する。
【００２５】
高さ調整機構１００は、外枠１０における底板１５に上下を連通して形成された開口部１５ａと、この開口部１５ａの上方に位置して取り付けられたベース部材１１０（１１０Ｌ，１１０Ｒ）と、ベース部材１１０に上下に移動可能に取り付けられ下端の当接部が開口部１５ａを通って下方に突出可能に配設された変位部材１２０と、変位部材１２０の高さ位置を調整する調整ネジ１３０およびナット１１３からなる調整手段とを備え、調整ネジ１３０を回動操作することで変位部材１２０の高さ位置を調整し、開口部１５ａを通って下方に突出する当接部の張出量を調整可能に構成されている。
【００２６】
ベース部材１１０は、背面視ハット形状に曲折されて下方に開くコの字状の変位部材収容部１１１と、この変位部材収容部１１１の左右に水平に形成された支持フランジ部１１２，１１２とを、左右ベース部材の共通構造として有している。変位部材収容部１１１の上面中央部には、上下に貫通する円孔が穿設されその上方にナット１１３が固着されている。
【００２７】
一方、左右のベース部材１１０Ｌ，１１０Ｒで相異する形態として、正面右側のベース部材１１０Ｒでは、右側のフランジ部の右端側が上方に直角に折り曲げられて右側の枠板１３と平行に延びる側枠連結フランジ部１１４が形成され、また変位部材収容部１１１の上面の前端側が上方に直角に折り曲げられて幕板１６と平行に延びる幕板連結フランジ部１１５が形成されるとともに、その上端部が幕板１６の高さに合わせて前方に直角に折り曲げられて受け金具部１１６が形成されている。受け金具部１１６の前端は上端角部が押しつぶされて円弧状に形成され、あるいは斜め下方に折り曲げられてガイド面が形成されている。
【００２８】
また、正面左側のベース部材１１０Ｌでは、左側のフランジ部の左端側が上方に直角に折り曲げられて左側の枠板１２と平行に延びる側枠連結フランジ部１１４が形成され、また変位部材収容部１１１の上面の前端側が上方に直角に折り曲げられて幕板１６と平行に延びる幕板連結フランジ部１１５が形成されるとともに、その上端部が幕板１６の高さに合わせて前方に直角に折り曲げられてヒンジプレート部１１７が形成され、さらにこのヒンジプレート部１１７の所定位置に上方に突出してヒンジピン１１８がカシメ固着されている。すなわち、このヒンジプレート部１１７およびヒンジピン１１８が外枠側の下部ヒンジ金具２ａを構成する。
【００２９】
そして、これらの左右のベース部材１１０Ｌ，１１０Ｒにおける支持フランジ部１１２、側枠連結フランジ部１１４、幕板連結フランジ部１１５およびヒンジプレート部１１７の各所定位置には、各フランジ部をそれぞれ底板１５、左右の枠板１２，１３、幕板１６に固定する固定ネジ１４７または固定リベット１４８を挿通させる連結固定孔が形成されている。左右のベース部材１１０は、例えば、板厚２．３ｍｍ程度の冷間圧延鋼板をプレス加工等により打ち抜きおよび曲げ成形して図示する形状に加工成形したうえ、ナット１１３を溶接またはカシメ等の手段により固着し、ユニクロメッキ等の所要の表面処理を施して形成される。なお側方の枠板に連結される側枠連結フランジ１１４は、図７中に二点鎖線で付記するように適宜上方に延長して形成してもよい。
【００３０】
変位部材１２０は、ベース部材１１０の変位部材収容部１１１に収容されるブロック状の本体部１２１を主体とし、この本体部１２１の上端面から本体内部に穿設された調整ネジ受容穴１２３、本体部１２１の側面から調整ネジ受容孔１２３に向けて形成されたサラモミ穴形態のネジ係止穴１２５、本体部１２１の下端に形成された側断面視円弧状の当接部１２６等から構成される。変位部材１２０は、ＡＢＳ樹脂等の樹脂材料またはアルミ合金等の金属製材を用いて公知の成形手段で形成される。
【００３１】
調整ネジ１３０は、上端に形成された工具係合部１３１、工具係合部から下方に延びてナット１１３と螺合する雄ネジ部１３３、雄ネジ部１３３の先端側が小径に段落としされて下方に延びる支柱部１３４、支柱部の先端側に形成されたネジ係合溝１３５、などからなり、例えば、市販の六角ボルトを追加工して形成される。なお、六角穴付きボルトや十字スリ割り付きのボルト等、工具係合部１３１が他の形態のボルトを利用してもよく、また雄ネジ部１３３の上端に把持して回動操作可能なノブを有する多角形ノブ等を用いることも可能である。
【００３２】
ベースプレート１１０、変位部材１２０、調整ネジ１３０の組立は、まずベースプレート１１０の上方から調整ネジ１３０の支柱部１３４をナット１１３に挿通させて雄ネジ部１３３をナット１１３に螺合させ、調整ネジ１３０を時計回りに回動して支柱部１３４を変位部材収容部１１１の下方に突出させる。次いで変位部材収容部１１１の下方から支柱部１３４に調整ネジ受容孔１２３を嵌合させ、調整ネジ受容孔１２３上端の面取り部が雄ネジ部１３３下端のテーパ面に当接するまで変位部材１２０を上動させる。
【００３３】
そしてこのときネジ係合溝１３５と位置整合するネジ係止穴１２５に、先端丸先のサラ小ネジ１４５を螺合させてネジ先端の丸先部をネジ係合溝１３５に係合させる。このサラ小ネジ先端の丸先部とネジ係合溝１３５との係合により、変位部材１２０と調整ネジ１３０とが一定の高さ位置関係を保持しつつ、変位部材１２０に対する調整ネジ１３０の相対回動を許容する。
【００３４】
このため、調整ネジ１３０をネジ軸まわりに回動させると、調整ネジ１３０が雄ネジ部１３３とナット１１３との螺合に応じてベース部材１１０に対して回動しながら上下に移動し、変位部材１２０は回動することなく調整ネジ１３０の上下移動とともにベース部材１１０に対して昇降移動する。
【００３５】
なお、図４中に二点鎖線で付記するように、変位部材１２０におけるネジ係止穴１２５および調整ネジ１３０におけるネジ係合溝１３５の形成高さ位置は、上記のように雄ネジ部１３３をナット１１３に螺合させたときに、支持フランジ部１１２よりも下方に位置するように設定されており、支持フランジ部１１２の側方から一般工具（ドライバー）ＤＴを用いてサラ小ネジ１４５を係止できるように構成されている。
【００３６】
一方、外枠１０における底板１５の左右には、この高さ調整機構１００の取付位置および変位部材１２０の形状寸法に合わせた矩形形状の開口部１５ａが、底板１５を上下に貫通して形成されている。なお、各図に示す枠構造では、左右方向の水平調整を感覚的にも容易に行えるように、左右の高さ調整機構１００Ｌ，１００Ｒを外枠１０の左右対称位置に配設した例を示している。
【００３７】
そして、これらの左右の開口部１５ａの上方に、前述したように部分組立された高さ調整機構が組み付けられる。高さ調整機構１００Ｌ，１００Ｒでは、変位部材収容部１１１の左右に水平に延びる支持フランジ部１１２，１１２、変位部材収容部１１１の側方に各枠板１２，１３と平行に延びる側枠連結フランジ部１１４、変位部材収容部１１１の前方に幕板１６と平行に延びる幕板連結フランジ部１１５が形成されている。このため、開口部１５ａに変位部材１２０を嵌挿して、各フランジ部をそれぞれ対応する枠板に突き当てたとき（枠板３面の交点に向けて押圧したとき）に、ベース部材１１０Ｌ，１１０Ｒが適正な位置に配設され、各変位部材１２０が開口部１５ａの中心に位置して配設される。
【００３８】
このため、組み付け作業を行う作業者は、下端の当接部１２６が開口部１５ａから下方に突出しない程度の高さ位置に変位部材１２０を設定して開口部１５ａに嵌挿し、上記のようにベース部材の３つのフランジ部を各枠板に突き当てて位置決めすることができ、この状態で、各フランジ部１１２，１１４，１１５およびヒンジプレート１１６の各連結固定孔に固定ネジ１４７，１４７…を打ち込み、あるいは固定リベット１４８を用いて締結することで、部分組立された高さ調整機構１００Ｌ，１００Ｒを外枠１０の下部左右の所定位置に固定することができる。
【００３９】
またベース部材１１０Ｌ，１１０Ｒを固定することにより、左右の各ベース部材１１０Ｌ，１１０Ｒが各々の高さ調整機構１００Ｌ，１００Ｒの基体としてのみならず、各枠板の枠組みを補強する補強金具としても機能し、さらに左右各１枚のベース部材で底板１５と幕板１６と各側方の枠板１２，１３とを一体的に連結させるため、別個独立した専用の補強金具を設ける必要がなく、部品点数を削減した簡明な構成で強固な枠構造を形成する。
【００４０】
そして、このようにしてベース部材１１０が底板１５に固定されると、調整ネジ１３０をネジ軸まわりに回動させたときに、調整ネジ１３０がその回動角度とネジ部のピッチとの関係に応じた移動量で上下に移動し、この調整ネジ１３０に係合された変位部材１２０が調整ネジ１３０とともに外枠１０に対して昇降移動する。このため、調整ネジ１３０を回動させてその回動角度位置を調整することで、開口部１５ａの内部に位置する当接部１２６の高さ位置を変位させることができ、開口部１５ａから下方に当接部１２６を出没させ、またその突出量を調整することができる。
【００４１】
このため、外枠１０の下部左右に高さ調整機構１００Ｌ，１００Ｒが設けられたパチンコ機ＰＭでは、外枠１０を遊技島４０に固定設置する際に、この左右の高さ調整機構１００Ｌ，１００Ｒを利用して、外枠１０の左右方向の水平調整、および前後方向への傾斜調整を容易に行うことができる。
【００４２】
すなわち、パチンコ機ＰＭは、前述した従来のパチンコ機と同様に、機体の左右方向の水平調整（以下、単に「水平調整」という）および前後方向への傾斜調整（同様に「傾斜調整」という）を、外枠１０を遊技島４０に固定設置する際に行い、水平調整および傾斜調整（これらをまとめて「姿勢調整」という）された外枠に前枠構造体を係合連結させて閉鎖した時にパチンコ機全体が適正な姿勢・位置に保持される形態の縦型遊技機であり、左右の高さ調整調整機構１００Ｌ，１００Ｒを利用することにより、熟練作業者でなくても外枠の姿勢調整を容易にかつ簡単に行えるようになっている。
【００４３】
外枠１０の姿勢調整は、開閉連結支持機構１，２により前枠構造体を分離した外枠単体で行われ、外枠１０を島棚板４１の目的とする取付位置に配置してまず左右方向の水平調整を行い、次に底板１５を島棚板４１に仮止めした状態で前後方向の傾斜調整を行い、そしてこれらの調整作業により適正な姿勢・位置に設定された外枠１０の底板１５を島棚板４１に、上枠板１１を上島板４２に固定するようにして行われる。
【００４４】
まず、外枠１０の水平調整では、幕板１６の上端面が基本的な測定位置とされ、幕板１６の上端面に水準器を載置して左右方向の傾斜を観察して、傾斜下方に当たる高さ調整機構の変位部材１２０を張り出させて当該下方の側を持ち上げること、あるいは傾斜上方に当たる高さ調整機構の変位部材１２０を開口部１５ａ内に収容させて当該上方の側を下げることにより行われる。
【００４５】
例えば、幕板１６の上端面に載置した水準器の指標が右下がりである場合には、右側の高さ調整機構１００Ｒにおける調整ネジ１３０を時計回りに回動させて変位部材１２０を下動させ、下端の当接部１２６を開口部１５ａから張り出させて島棚板４１に当接させ、水準器の指標が水平になるまで変位部材１２０を張り出させて外枠１０の右側部分を持ち上げ支持させる。
【００４６】
あるいは、初期設定として、左右の高さ調整機構１００Ｌ，１００Ｒにおける変位部材１２０，１２０の高さ位置を、下端の当接部１２６，１２６がともに開口部１５ａ，１５ａから一定量突出して配設されるように調整しておき、この状態から上記のように右側の高さ調整機構１００Ｒの変位部材１２０を張り出させて外枠１０の右側を持ち上げさせ、あるいは逆に、左側の高さ調整機構１００Ｌの変位部材１２０を引き込んで外枠１０の左側を下げさせて水平調整を行う。外枠１０の左右両側が島棚板４１から浮き上がるような場合（底板１５の中央部が持ち上げられるような場合）にも、この方法で水平調整を行うことができる。
【００４７】
そして、上記水平調整により外枠１０が左右方向に水平姿勢となった状態で、左右の変位部材１２０，１２０を結んだ線よりも後方に、底板上面から島棚板４１に向けて固定釘を軽く打ち込み底板１５を仮止めする。これにより、外枠１０が左右水平姿勢で島棚板４１上に仮止めされる。なお、図８にはパチンコ機ＰＭの外枠１０と島棚板４１および島上板４２との関係を側面図として示している。
【００４８】
次に、外枠１０の前後方向の傾斜調整を行う。外枠１０の傾斜調整では、左右の枠板１２，１３の前端面が測定位置とされ、枠板の前端面に専用の水準器を突き当てて前後方向の傾斜を観察し、左右の枠板が基準の後傾角度（一般に１度以内の後傾角度）になるように傾斜調整を行う。傾斜調整は高さ調整機構を用いずに従来同様の手作業によりに行うことも可能であるが、左右の高さ調整機構１００Ｌ，１００Ｒを用いることによりさらに容易に行うことができる。左右の高さ調整機構１００Ｌ，１００Ｒを利用した傾斜調整作業は、仮止めされた底板後部に対して、前方に位置する変位部材１２０，１２０の張出量を調整することにより行われる。
【００４９】
具体的な傾斜調整作業では、左右いずれかの枠板を基本として（一般的には開閉連結支持機構１，２が設けられた左側の枠板１２を基本として）左右の高さ調整機構１００Ｌ，１００Ｒを同一量調整し、底板１５を含む外枠全体を所定の後傾角度に傾斜調整する。そして他方の枠板（右側の枠板１３）の傾斜状態を水準器を用いて確認し、もし基準後傾角度と異なっている場合には、この他方の枠板の後傾角度を微調整することにより行われる。
【００５０】
例えば、外枠１０の基準後傾角度を仮に１度とし、左側の枠板１２の前端面に水準器を当てたときの枠板の後傾角度が０．３度程度の表示指標であった場合には、左右の高さ調整機構１００Ｌ，１００Ｒの調整ネジ１３０，１３０をともに時計回りにネジピッチに応じた同一角度回動させて変位部材１２０，１２０を下動させ、左側の枠板１２に当てた水準器の表示指標が基準後傾角度になるまで左右の変位部材１２０，１２０を張り出させて、底板１５の前方部分を持ち上げさせる。
【００５１】
このとき調整ネジ１３０の工具係合部１３１にスパナを掛けて回動することで、仮止め用に打ち込まれた固定釘の抗力によらず変位部材を張り出させることができる。また変位部材下端の当接部１２６が傾斜方向に対して比較的大きな円弧状に形成されているため、外枠１０の傾斜調整を滑らかに行い得るとともに、遊技提供時を含めて一定かつ低い面圧で荷重を支持させることができる。
【００５２】
次に、左側の枠板１３を基本として底板１５を含む外枠１０全体が基準後傾角度に設定された状態で、右側の枠板１３の傾斜状態を水準器を用いて確認し、このときにもし右側の枠板１３の傾斜角度が基準後傾角度と異なっている場合には、右側の枠板１３の上端部を前方または後方に軽く押圧して基準後傾角度と一致するように微調整する。例えば、左側の枠板１２の傾斜角度が基準後傾角度の１度に設定された状態で、右側の枠板１３の後傾角度が０．８度程度の場合には、右側の枠板１３の上端部を軽く後方に押圧して後傾させ、後傾角度が１度になる角度位置に設定する。
【００５３】
そして、以上のような水平調整と傾斜調整とによって、外枠１０が左右方向に水平で前後方向に所定の後傾角度になった姿勢位置で島上板４２の上方から上枠板１１に固定釘を打ち込み、また仮止め状態であった底板１５の固定釘を完全に打ち込んで外枠１０を遊技島４０に固定する。これにより、外枠１０が適正な水平姿勢および後傾姿勢で遊技島４０に固定設置される。
【００５４】
前枠２０は、このように適正な水平姿勢および後傾姿勢に調整された外枠１０に開閉連結支持機構１，２を利用して係合連結させ、外枠の前側開口面域を塞ぐように閉止させることで、この外枠１０に倣って適正な姿勢・位置に支持されるようになっている。すなわち、開閉連結支持機構１，２と反対側にあたる右側の下部整合部分には、開閉連結支持機構による連結支持高さ位置を基準とする係合支持部が設けられ、左側の開閉連結支持機構と右側の係合支持部とで前枠２０を支持することで、前枠２０およびこの前枠に取り付けられた各遊技構成部材（前枠構造体）が適正な姿勢で保持されるように構成されている。
【００５５】
具体的には、パチンコ機ＰＭでは開閉連結支持機構１，２における下側のヒンジ金具２ａのヒンジプレート部１１７が前枠支持の高さ基準とされ、このヒンジ金具２ａと左右反対の対称位置にヒンジプレート１１７と同一高さに受け金具部１１６が設けられる一方、前枠２０の下端部には受け金具部１１６と位置整合して係脱可能な座部２９が下方に突出成型されており、外枠側のヒンジ金具１ａ，２ａに前枠側のヒンジ金具１ｂ，２ｂを嵌合連結させて前枠２０を揺動閉止させ、受け金具部１１６に座部２９を係合支持させることで、前枠２０およびこの前枠に取り付けられた各遊技構成部材（前枠構造体）が適正な姿勢で保持されるようになっている。
【００５６】
従って、以上説明した高さ調整機構１００を備えたパチンコ機では、複数種類の厚さのシムを準備したり、水準器による表示指標から適当と思われるシムを選択して挟み込みその変化から再調整するなど、経験や勘に基づく複雑な調整作業を必要とせず、水準器の表示指標に応じて左右の調整ネジ１３０を回動操作することで外枠１０を容易に適正な姿勢・位置に固定設置することができ、パチンコ機を適正な姿勢に設置することができる。
【００５７】
また左右のベース部材１１０Ｌ，１１０Ｒが各高さ調整機構１００Ｌ，１００Ｒの基体としてのみならず、それぞれ隣接する３つの枠板を連結させる補強金具としての機能をもち、さらに加えて左側のベース部材１１０Ｌではヒンジ金具２ａとしての機能を、右側のベース部材では係合支持部としての機能を併せ持つ構成になっている。このため各機能ごとに複数の別個独立した金具類を製作し取り付ける必要がなく、部品点数や組み付け工数等を低減して製作コストを抑制した枠構造を提供することができる。なお、ベース部材１１０Ｒに形成される受け金具部１１６および前枠２０に設けられる受け座２９からなる係合支持部の形態は、従来から公知の他の形態（例えば前枠側の座部に回動可能な回転円盤を設けた支持形態）を用いることも可能である。
【００５８】
以上では変位部材１２０と調整ネジ１３０とが、サラ小ネジ１４５によって係合され、変位部材１２０が回動することなく上下移動する形態の高さ調整機構１００を例示したが、図９に他の構成例を示すように、下端の当接部２２６，１３６が調整ネジとともに回動しながら上下移動して底板の開口部１５ａから出没するように構成してもよい。
【００５９】
例えば、図９（ａ）に示すように、雄ネジ部１３３の下部に四角柱状の係合部１３７を形成する一方、変位部材２２０の上面に係合部と嵌脱可能な嵌合穴を形成し、これらを嵌合接続させたうえ外周から係止ピンないし止めネジ１４９を用いて、調整ネジ１３０′の下端に変位部材２２０を固定する。変位部材２２０の下端の当接部２２６は球面状に形成されており、調整ネジ１３０′における雄ネジ部１３３と変位部材収容部１１１におけるナット１１３との螺合に応じて、調整ネジ１３０′とともに回動しながら上下移動して底板の開口部１５ａから出没する。これにより前述した高さ調整機構１００と同様に、外枠１０の水平調整および傾斜調整を行うことができる。
【００６０】
このような変位部材２２０を用いた高さ調整機構では、変位部材の当接部２２６が球面状に形成されているため、変位部材２２０の回動角度位置や外枠１０の傾斜状態に拘わらず一定の接触面が得られるようになっている。また、上述した高さ調整機構１００と同様に、変位部材２２０を調整ネジ１３０′と異なる材質（例えばＡＢＳ樹脂や高分子ポリエチレン等）で構成でき、かつ当接部２２６を比較的大きな曲率半径に形成することができるため、例えば島棚板４１の面板が木材単板である場合のように棚板の表面硬度が低い場合であっても圧痕等を生じさせにくい構成である。
【００６１】
一方、図９（ｂ）に示すように、変位部材１２０，２２０を設けず、雄ネジ部１３３から下方に延びる支柱部１３４の下端部に球面状の当接部１３６を直接形成して高さ調整機構を構成することもできる。このような高さ調整機構では調整ネジ１３０″を回動させたときに、雄ネジ部１３３とナット１１３との螺合に応じて当接部１３６が回動しながら上下移動し、底板の開口部１５ａから出没する。従って本構成によっても高さ調整機構１００と同様に外枠１０の水平調整および傾斜調整を行うことができる。
【００６２】
また、この高さ調整機構によれば、当接部１３６は、一般的には調整ネジ１３０″と同一材質の金属製となるが、部品点数を削減して高さ調整機構を簡明化することができ、例えば島棚板４１の面板が積層合板である場合のように棚板の表面硬度が高い場合に好適な構成例である。
【００６３】
なお、各実施例では、左右の高さ調整機構における変位部材の高さ位置をともに調整した例を示したが、左右のいずれか一方の変位部材を当接部が下方に一定量突出した高さ位置に固定し、あるいは左右いずれか一方の調整機構に代えて底板から下向きに突出する固定突起を設け、これら固定された当接部ないし固定突起を基準として水平調整および傾斜調整を行うように構成することも可能である。
【００６４】
また、本発明の枠構造は外枠１０の枠サイズの大小によらず適用可能であることはいうまでもないが、例えば「関東枠」と称される枠サイズの外枠を基本枠とし、この基本枠の外側に所定板厚のスペーサを固定して関東枠よりも幾分大きめの「関西枠」に適用させるような枠構成の場合には、スペーサの整合位置に前述同様の開口部１５ａ等を設けて、当接部１２６等を出没変位させるように構成することができる。
【００６５】
【発明の効果】
以上各実施例において説明したように、本発明では、上下および左右の枠板からなる外郭方形状の外枠に開閉可能に連結された前枠と、前枠に装備された遊技構成部材とを有する縦型遊技機において、下枠板における底板に上下を連通して形成された開口部と、開口部の上方に位置して取り付けられたベース部材と、ベース部材に上下に移動可能に取り付けられて下端の当接部が開口部を通って下方に突出可能に配設された変位部材と、変位部材の高さ位置を調整する調整手段とを有してなる高さ調整機構が幕板後方の左右にそれぞれ備えられている。左右の高さ調整機構におけるベース部材は、それぞれ底板と幕板と当該高さ調整機構が設けられた側の側方の枠板との３つの枠部材を連結して固定するように形成され、そして左右の調整手段により左右の変位部材の高さ位置をそれぞれ調整して開口部を通って下方に突出する左右の当接部の張出量を調整することにより、外枠の左右方向の傾きを調整し得るように枠構造が構成される。
【００６６】
このような構成の枠構造によれば、左右の高さ調整機構における変位部材の高さ位置を調整手段によりそれぞれ調整することで開口部を通って下方に突出する左右の当接部の張出量を調整することができ、これにより外枠の傾きを適宜に調整することができる。従って、本発明の高さ調整機構を備えた縦型遊技機では、複数種類の厚さのシムを準備したり、水準器による表示指標から適当と思われるシムの選択調整を繰り返すなど、経験や勘に基づく複雑な調整作業を必要とせず、水準器の表示指標等に応じて左右の調整手段を操作することにより外枠を容易に適正な姿勢・位置に設置することができ、縦型遊技機を適正な姿勢に設置することができる。
【００６７】
また本構成の枠構造では、左右の高さ調整機構における左右のベース部材がそれぞれ底板と幕板と高さ調整機構が設けられた側の側方の枠板との３つの枠部材を連結して固定するように形成されており、従来の補強金具の機能を兼ね備えた構成になっている。さらに、左右それぞれのベース部材が各３つの枠部材を連結して固定する構成のため、従来、各々別個独立に設けられていた複数の補強金具の機能をひとつのベース部材で実現することができ、部品点数や組み立て工数などを低減させることができる。
【００６８】
従って、本構成の枠構造によれば、シム等の補材を必要とせず熟練作業者によらなくても外枠を容易に適正な左右水平の姿勢・位置に設定可能な枠構造を提供することができるとともに、製作コストの上昇を抑制した枠構造を提供することができる。
【図面の簡単な説明】
【図１】本発明に係る枠構造を備えた縦型遊技機の一例として示すパチンコ機の遊技島への設置状態を示す正面図（ａ）、および背面図（ｂ）である。
【図２】上記パチンコ機の下部領域の平断面図である。
【図３】正面右側の高さ調整機構を斜め後方から見た分解斜視図である。
【図４】左右の高さ調整機構における変位部材の取付状態を示す断面図である。
【図５】正面左側の高さ調整機構を斜め後方から見た斜視図である。
【図６】正面右側の高さ調整機構の背面図（部分断面図）である。
【図７】正面左側の高さ調整機構の側断面図である。
【図８】パチンコ機の外枠と島棚板および島上板との関係を示す側面図である。
【図９】高さ調整機構の他の構成例を示す要部側面図である。
【符号の説明】
ＤＴ  一般工具（ドライバー）
ＰＡ  遊技領域
ＰＭ  パチンコ機
１  上側の開閉連結支持機構（１ａ，１ｂ  ヒンジ金具）
２  下側の開閉連結支持機構（２ａ，２ｂ  ヒンジ金具）
３  施錠装置
４  ガラス扉
５  遊技盤
６  上球皿
７  下球皿
８  発射ハンドル
９  遊技球発射装置
１０  外枠
１１  上枠板
１２  左枠板
１３  右枠板
１４  下枠板
１５  底板（１５ａ  開口部）
１６  幕板
１８  補強金具
２０  前枠
２９  座部
３０  裏セット盤
４０  遊技島
４１  島棚板
４２  島上板
４３  化粧扉
４４  報知ランプ
４５  球回収バケット
１００  高さ調整機構
（１００Ｒ  正面右側の高さ調整機構、１００Ｌ  正面左側の高さ調整機構）
１１０  ベース部材
（１１０Ｒ  正面右側のベース部材、１００Ｌ  正面左側のベース部材）
１１１  変位部材収容部
１１２  支持フランジ部
１１３  ナット
１１４  側枠連結フランジ部
１１５  幕板連結フランジ部
１１６  受け金具部
１１７  ヒンジプレート部（ヒンジ金具２ａ）
１１８  ヒンジピン（ヒンジ金具２ａ）
１２０  変位部材
１２１  本体部
１２３  調整ネジ受容穴
１２５  ネジ係止穴
１２６  当接部
１３０，１３０′，１３０″  調整ネジ
１３１  工具係合部
１３３  雄ネジ部
１３４  支柱部
１３５  ネジ係合溝
１３６  当接部
１３７  係合部
１４５  サラ小ネジ
１４７  固定ネジ
１４８  固定リベット
１４９  止めネジ
２２０  変位部材
２２６  当接部
【図１】
2004329454.tif 000003
【図２】
2004329454.tif 000004
【図３】
2004329454.tif 000005
【図４】
2004329454.tif 000006
【図５】
2004329454.tif 000007
【図６】
2004329454.tif 000008
【図７】
2004329454.tif 000009
【図８】
2004329454.tif 000010
【図９】
2004329454.tif 000011